(57)【要約】【課題】補助デバイスの利用に適したアプリリスト作成して配信するサーバを必要とはせず、より短時間で補助デバイスの利用に適したアプリをダウンロードできる。【解決手段】情報通信端末装置は、ブルートゥースに適合したブルートゥース機器と、このブルートゥース機器を利用するアプリとを関連付けたアプリ・機器対応表(４)を格納しているアプリ・機器対応表格納部と、上記アプリ・機器対応表(４)を参照して、使用者によって指定された接続対象のブルートゥース機器に対応するアプリを検索するブルートゥース機器対応アプリ検索部(５)と、ネットワーク(８)に接続すると共に、上記ブルートゥース機器対応アプリ検索部(５)によって検索されたアプリを、上記ネットワーク(８)を介してダウンロードする通信部(７)とを備えている。【選択図】図１
2015158780.tif 000002
【特許請求の範囲】
【請求項１】
ブルートゥースに適合したブルートゥース機器と、このブルートゥース機器を利用するアプリとを関連付けたアプリ・機器対応表を格納しているアプリ・機器対応表格納部と、
上記アプリ・機器対応表を参照して、使用者によって指定された接続対象のブルートゥース機器に対応するアプリを検索するブルートゥース機器対応アプリ検索部と、
ネットワークに接続すると共に、上記ブルートゥース機器対応アプリ検索部によって検索されたアプリを、上記ネットワークを介してダウンロードする通信部と
を備えたことを特徴とする情報通信端末装置。
【請求項２】
請求項１に記載の情報通信端末装置において、
上記ブルートゥース機器対応アプリ検索部で検索されたアプリを使用者に提示すると共に、実際にダウンロードするアプリであるか否かを上記使用者に確認するダウンロードアプリ確認部を
備えたことを特徴とする情報通信端末装置。
【請求項３】
請求項１または請求項２に記載の情報通信端末装置において、
周囲における予め定められた所定範囲内にある上記ブルートゥース機器を検索するブルートゥース機器検索部と、
上記ブルートゥース機器検索部により検索された上記ブルートゥース機器を表示すると共に、接続対象となるブルートゥース機器を使用者に選択指定させるブルートゥース機器選択部と
を備えたことを特徴とする情報通信端末装置。
【請求項４】
請求項１から請求項３までの何れか一つに記載の情報通信端末装置において、
上記使用者によって操作されて、上記アプリ・機器対応表に登録されていない新規のアプリまたは新規のブルートゥース機器を上記アプリ・機器対応表に追加登録することにより、上記アプリ・機器対応表を修正するアプリ・機器対応表修正部
を備えたことを特徴とする情報通信端末装置。
【発明の詳細な説明】
【技術分野】
【０００１】
この発明は、ブルートゥース機器を有効に利用できる情報通信端末装置に関する。
【背景技術】
【０００２】
近年、Bluetooth(登録商標)(以下、ブルートゥースと言う)に適合したブルートゥース機器を有効に利用するために通信端末装置側に取り込むアプリケーション(以下、端にアプリと言う)を提供するサイトが、ネットワーク上に用意されるようになってきている。また、上述のようなアプリとして、センサベンダに限定されずに、異なるメーカの複数の製品(センサ)に対応する多様なアプリも出現している。
【０００３】
その結果、ユーザは、使用しようとするセンサ等の補助デバイスに対応するアプリを、上記サイトから発見するのが難しくなっている。
【０００４】
そこで、ユーザが使用しようとする補助デバイスに適したアプリを容易に発見し、ダウンロードできる技術が出現している。
【０００５】
このような技術として、特開２０１２‐１７３７９２号公報(特許文献１)に開示されているようなアプリ配布システムがある。このアプリ配布システムでは、サーバに、アプリと補助デバイスとを対応付けたアプリ・機器対応表と、補助デバイスとその機能とを対応付けた機器・機能対応表と、アプリと上記機能とを対応付けるアプリ・機能対応表と、機器特定キーワードと機能とを対応付けたキーワード・機能対応表とを設ける。そして、通信端末が、補助デバイスの製品名と、当該補助デバイスの通信端末への登録プロセスに含まれる機器特定キーワードとの、少なくとも何れかを含むハードウエア情報を、上記サーバに送信すると、上記サーバは、上記各対応表を参照して上記ハードウエア情報に対応するアプリのアプリリストを作成して、上記通信端末に送信する。そして、上記通信端末側で、上記サーバから取得した上記アプリリスト内から任意のアプリを選択してダウンロードを行うようにしている。
【０００６】
しかしながら、上記特許文献１に開示された従来のアプリ配布システムにおいては、以下のような問題がある。
【０００７】
すなわち、上記補助デバイスを活用するのに適したアプリリストを作成して配信するためのサーバを、構築する必要があるという問題がある。さらに、上記アプリリストをサーバで作成し、通信端末はネットワーク経由で上記アプリリストを取得する必要がある。そのために、ネットワーク経由の分だけ、上記アプリリストからユーザが補助デバイスを活用するのに適したアプリを選択するまでに時間が掛かるという問題もある。
【先行技術文献】
【特許文献】
【０００８】
【特許文献１】特開２０１２‐１７３７９２号公報
【発明の概要】
【発明が解決しようとする課題】
【０００９】
そこで、この発明の課題は、補助デバイスの利用に適したアプリリスト作成して配信するサーバを必要とせず、より短い時間で補助デバイスの利用に適したアプリをダウンロードすることが可能な情報通信端末装置を提供することにある。
【課題を解決するための手段】
【００１０】
上記課題を解決するため、この発明の情報通信端末装置は、
ブルートゥースに適合したブルートゥース機器と、このブルートゥース機器を利用するアプリとを関連付けたアプリ・機器対応表を格納しているアプリ・機器対応表格納部と、
上記アプリ・機器対応表を参照して、使用者によって指定された接続対象のブルートゥース機器に対応するアプリを検索するブルートゥース機器対応アプリ検索部と、
ネットワークに接続すると共に、上記ブルートゥース機器対応アプリ検索部によって検索されたアプリを、上記ネットワークを介してダウンロードする通信部と
を備えたことを特徴としている。
【発明の効果】
【００１１】
以上より明らかなように、この発明の情報通信端末装置は、上記アプリ・機器対応表を搭載している。したがって、アプリ・機器対応リストを作成するためのサーバを上記ネットワーク上に設ける必要が無くなる。そのため、使用者により指定された接続対象のブルートゥース機器に対応するアプリを検索する際に、上記アプリ・機器対応リストを上記ネットワーク経由で取得する必要が無く、その分だけ、接続対象のブルートゥース機器の利用に適したアプリを使用者が選択するまでの時間を、短縮することが可能になる。
【図面の簡単な説明】
【００１２】
【図１】この発明の情報通信端末装置における機能ブロック図である。
【図２】図１におけるアプリ・機器対応表の概念図である。
【図３】アプリ・ダウンロード処理動作のフローチャートである。
【図４】接続対象となるブルートゥース機器の選択画面の一例を示す図である。
【図５】ダウンロードの確認画面の一例を示す図である。
【発明を実施するための形態】
【００１３】
以下、この発明を図示の実施の形態により詳細に説明する。本実施の形態においては、予め作成したアプリ・機器対応表を、本情報通信端末装置に保持するようにする。
【００１４】
こうすることによって、ネットワーク上にアプリ・機器対応リストを作成するためのサーバを設ける必要が無くなる。そのために、上記サーバで作成した補助デバイスの活用に適したアプリリストをネットワーク経由で取得する必要が無く、その分だけ、補助デバイスを活用するのに適したアプリをユーザが選択するまでの時間を、短縮するものである。
【００１５】
図１は、本実施の形態の情報通信端末装置における機能ブロック図である。尚、本実施の形態においては、情報通信端末装置１は、例えばスマートフォン(商品名)に代表されるタッチパネル式携帯端末装置であるとして説明する。但し、図１では、本情報通信端末装置１が、接続対象の機器(補助デバイス)と接続するのに適したアプリを、ネットワーク経由でダウンロードするための構成の部分を示している。
【００１６】
図１において、ブルートゥース機器検索部２は、接続対象の機器を含めた周辺(周囲における予め定められた所定範囲内)にあるブルートゥース機器を検索する。上記ブルートゥース機器選択部としてのブルートゥース機器検索結果表示部３は、ブルートゥース機器検索部２で検出されたブルートゥース機器を表示すると共に、接続対象となるブルートゥース機器を使用者に選択させる。
【００１７】
アプリ・機器対応表４は、ブルートゥース機器とアプリとを関連付けた表である。図２に、アプリ・機器対応表４の概念図を示す。アプリ・機器対応表４には、図２に示すように、例えばブルートゥースをプロファイルで分類した場合に、各プロファイルに属する各メーカの製品(ブルートゥース機器)とアプリとが対応付けられて格納されている。すなわち、同じプロファイルを持つ製品Ａ,製品Ｂ,製品Ｃ…は、何れもアプリＡによって利用することが可能である。ブルートゥース機器対応アプリ検索部５は、アプリ・機器対応表４を参照して、ブルートゥース機器検索結果表示部３で選択された接続対象のブルートゥース機器に対応するアプリを検索する。
【００１８】
上記ダウンロードアプリ確認部としてのダウンロードアプリ確認画面表示部６は、ブルートゥース機器対応アプリ検索部５で検出されたアプリを使用者に提示すると共に、実際にダウンロードするアプリであるか否かを使用者に確認するための画面を表示する。通信部７は、ネットワーク８に接続し、ダウンロードアプリ確認画面表示部６でダウンロードが確認されたアプリを、ネットワーク８を介して検索してダウンロードする。こうしてダウンロードされたアプリはアプリ格納部９に格納されると共に、上記接続対象のブルートゥース機器を利用する際に読み出されて実行される。
【００１９】
アプリ・機器対応表修正部１０は、使用者によって操作されて、アプリ・機器対応表４に登録されていない新規のアプリまたは新規のブルートゥース機器を、アプリ・機器対応表４に追加してアプリ・機器対応表を修正する。
【００２０】
端末制御部１１は、上記ブルートゥース機器検索部２およびブルートゥース機器検索結果表示部３を制御して、上記周辺のブルートゥース機器を検索して表示し、接続対象となるブルートゥース機器を使用者に選択させる。
【００２１】
さらに、上記ブルートゥース機器対応アプリ検索部５およびダウンロードアプリ確認画面表示部６を制御して、使用者によって選択された接続対象のブルートゥース機器に対応するアプリを使用者に提示し、実際にダウンロードするか否かを確認する。
【００２２】
さらに、上記通信部７を制御して、上記ダウンロードが確認された接続対象のブルートゥース機器に対応するアプリをダウンロードし、アプリ格納部９に格納する。
【００２３】
さらに、上記アプリ・機器対応表修正部１０を制御して、新規アプリまたは新規ブルートゥース機器を、アプリ・機器対応表４に追加して修正する。
【００２４】
ここで、上記ブルートゥース機器検索結果表示部３が検索結果を表示して選択させ、上記ダウンロードアプリ確認画面表示部６が対応アプリを提示して確認するための表示画面は、例えばＬＣＤ(Liquid Crystal Display：液晶ディスプレイ)パネル等の表示デバイスでなり、透明の位置入力デバイスと積層されてタッチパネルを構成している。
【００２５】
また、具体的には、上記ブルートゥース機器検索部２,ブルートゥース機器対応アプリ検索部５および端末制御部１１は、ＣＰＵ(中央演算処理装置)によって構成されている。また、アプリ・機器対応表４は、ＲＯＭ(Read Only Memory：リードオンリメモリ)に格納されている。また、アプリ格納部９は、ＲＡＭ(Random Access Memory：ランダムアクセスメモリ)で構成されている。
【００２６】
上述のように、本実施の形態においては、ブルートゥース機器とアプリとを関連付けたアプリ・機器対応表４を、本情報通信端末装置１に搭載している。そして、接続対象となるブルートゥース機器が選択されると、アプリ・機器対応表４を参照して、選択された接続対象のブルートゥース機器に対応するアプリを検索して提示するようにしている。したがって、接続対象のブルートゥース機器に対応するアプリを、ネットワーク経由で取得する必要が無く、その分だけ、ブルートゥース機器の活用に適したアプリを使用者が選択するまでの時間を、短縮することが可能になる。
【００２７】
さらに、上記アプリ・機器対応表４を本情報通信端末装置１に搭載しているので、アプリ・機器対応表修正部１０によって、使用者によって操作されて、新規アプリまたは新規ブルートゥース機器をアプリ・機器対応表４に追加・修正することが容易に可能となる。
【００２８】
図３は、上記端末制御部１１による制御に従って実行されて、ブルートゥース機器を利用するためのアプリをダウンロードする「アプリ・ダウンロード」処理動作のフローチャートである。
【００２９】
使用者から、ブルートゥース機器を利用するアプリのダウンロード指示が出されると、本「アプリ・ダウンロード」処理動作がスタートする。
【００３０】
ステップＳ1で、上記ブルートゥース機器検索部２によって、接続対象の機器を含むブルートゥース機器が検索される。ステップＳ2で、ブルートゥース機器検索結果表示部３によって、使用者に、ブルートゥース機器検索部２で検出されたブルートゥース機器の中から、接続したいブルートゥース機器を選択させるための選択画面を、上記タッチパネルに表示する。
【００３１】
図４に、上記ブルートゥース機器検索結果表示部３によって表示される接続対象となるブルートゥース機器の選択画面の一例を示す。情報通信端末装置１のタッチパネル１２には、ブルートゥース機器検索部２で検出されたブルートゥース機器が、製品Ａ,製品Ｂ,製品Ｃ…のごとく表示されている。使用者は、表示されている製品Ａ,製品Ｂ,製品Ｃ…の領域１３a,１３b,１３c…の何れかをタッチすることによって、接続したいブルートゥース機器が選択される。
【００３２】
ステップＳ3で、上記ブルートゥース機器対応アプリ検索部５によって、アプリ・機器対応表４から、ブルートゥース機器検索結果表示部３を介して選択されたブルートゥース機器に対応付けられたアプリが検索される。ステップＳ4で、上記アプリ検索の結果、上記選択されたブルートゥース機器に対応するアプリが存在したか否かが判別される。その結果、存在した場合にはステップＳ5に進み、存在していない場合には「アプリ・ダウンロード」処理動作を終了する。
【００３３】
ステップＳ5で、上記ダウンロードアプリ確認画面表示部６によって、上記検出されたアプリを使用者に提示することによって、実際にダウンロードするか否かを使用者に確認させる。図５に、ダウンロードアプリ確認画面表示部６によって提示されるダウンロードするか否かの確認画面の一例を示す。情報通信端末装置１のタッチパネル１２には、「アプリＡをダウンロードしますか？」の表示画面１４が表示されている。使用者は、表示画面１４上の「はい」ボタン１５aまたは「いいえ」ボタン１５bにタッチすることにより、確認の結果を入力する。
【００３４】
ステップＳ6で、使用者による確認の結果は「ダウンロードする」であるか否かが判別される。その結果、「ダウンロードする」である場合にはステップＳ7に進む一方、そうでなければ「アプリ・ダウンロード」処理動作を終了する。
【００３５】
ステップＳ7で、上記通信部７によって、上記ダウンロードが確認されたアプリが、ネットワーク８を介して検索される。ステップＳ8で、上記検索の結果に基づいて、上記ダウンロードすべきアプリがネットワーク８上にあるか否かが判別される。その結果、存在すればステップＳ9に進み、存在しなければ「アプリ・ダウンロード」処理動作を終了する。
【００３６】
ステップＳ9で、上記通信部７によって、使用者によってダウンロードが希望されたアプリが、ネットワーク８を介してダウンロードされる。そして、アプリ格納部９に格納される。
【００３７】
そうした後、「アプリ・ダウンロード」処理動作が終了される。
【００３８】
ここで、本実施の形態においては、上述したように、アプリ・機器対応表修正部１０によって、新規アプリまたは新規ブルートゥース機器をアプリ・機器対応表４に追加・修正することを可能にしている。その場合、上記端末制御部１１による制御に従って実行されるアプリ・ダウンロード処理動作がプレイストア上で更新できるアプリで実現され、当該アプリ内にアプリ・機器対応表４が保持されている場合には、以下のように、他の使用者の情報通信端末装置のアプリ・機器対応表を更新することが可能になる。
【００３９】
例えば、
先ず、(１)で、上述したように、アプリ・機器対応表修正部１０によって、本使用者のアプリ・機器対応表４を更新する。次に、(２)で、オフィシャルサイト内のアプリ・機器対応表を、上記(１)で更新されたものに更新する。次に、(３)で、上記(２)で更新された上記オフィシャルサイトをプレイストアに上げる。次に、(４)で、上記プレイストアから他の使用者の情報通信端末装置への上記オフィシャルサイト内の更新通知に従って、他の使用者の情報通信端末装置において、上記オフィシャルサイトのアプリに更新する。
【００４０】
こうすることによって、他の使用者の情報通信端末装置のアプリ・機器対応表が更新されるのである。
【００４１】
尚、上記実施の形態においては、上記タッチパネル式携帯端末装置を例に挙げて情報通信端末装置１について説明した。しかしながら、この発明はタッチパネル式携帯端末装置に限定されるものではなく、タッチパネル式タブレットやパーソナルコンピュータ等にも適用できることは言うまでもない。
【００４２】
以上のごとく、この発明の情報通信端末装置は、
ブルートゥースに適合したブルートゥース機器と、このブルートゥース機器を利用するアプリとを、関連付けたアプリ・機器対応表４を格納しているアプリ・機器対応表格納部と、
上記アプリ・機器対応表４を参照して、使用者によって指定された接続対象のブルートゥース機器に対応するアプリを検索するブルートゥース機器対応アプリ検索部５と、
ネットワーク８に接続すると共に、上記ブルートゥース機器対応アプリ検索部５によって検索されたアプリを、上記ネットワーク８を介してダウンロードする通信部７と
を備えたことを特徴としている。
【００４３】
上記構成によれば、本情報通信端末装置に、アプリ・機器対応表４を搭載している。したがって、アプリ・機器対応リストを作成するためのサーバを上記ネットワーク８上に設ける必要が無くなる。そのため、使用者が指定した接続対象のブルートゥース機器に対応するアプリを検索する際に、上記アプリ・機器対応リストを上記ネットワーク８経由で取得する必要が無く、その分だけ、接続対象のブルートゥース機器の利用に適したアプリを使用者が選択するまでの時間を、短縮することができる。
【００４４】
また、一実施の形態の情報通信端末装置では、
上記ブルートゥース機器対応アプリ検索部５で検索されたアプリを使用者に提示すると共に、実際にダウンロードするアプリであるか否かを上記使用者に確認するダウンロードアプリ確認部６を
備えている。
【００４５】
この実施の形態によれば、上記ブルートゥース機器対応アプリ検索部５で検索されたアプリが、上記使用者が実際にダウンロードするアプリであるか否かを、確認することができる。したがって、上記使用者の意に即したアプリをダウンロードすることができる。さらに、上記検索されたアプリが複数ある場合には、その中から上記使用者の最も使用したいアプリを選択してダウンロードすることができる。
【００４６】
また、一実施の形態の情報通信端末装置では、
周囲において予め定められた所定範囲内にある上記ブルートゥース機器を検索するブルートゥース機器検索部２と、
上記ブルートゥース機器検索部２により検索された上記ブルートゥース機器を表示すると共に、接続対象となるブルートゥース機器を使用者に選択指定させるブルートゥース機器選択部３と
を備えている。
【００４７】
この実施の形態によれば、上記接続対象のブルートゥース機器に対応するアプリを検索する際における上記検索の対象を、周囲の所定範囲内にある上記ブルートゥース機器に限定することができ、上記検索の範囲を絞り込んで検索時間の短縮を図ることができる。
【００４８】
また、一実施の形態の情報通信端末装置では、
上記使用者によって操作されて、上記アプリ・機器対応表４に登録されていない新規のアプリまたは新規のブルートゥース機器を上記アプリ・機器対応表４に追加登録することにより、上記アプリ・機器対応表４を修正するアプリ・機器対応表修正部１０
を備えている。
【００４９】
この実施の形態によれば、手動によって上記アプリ・機器対応表４を修正することができる。したがって、定期的に市場の動向を確認して、新規のアプリや新規のブルートゥース機器の出現を察知した場合には、その都度、手動によって上記アプリ・機器対応表４に新規のアプリや新規のブルートゥース機器を追加して修正することができる。こうして、上記アプリ・機器対応表４を、最新の状態に維持することが可能になる。
【符号の説明】
【００５０】
１…情報通信端末装置、
２…ブルートゥース機器検索部、
３…ブルートゥース機器検索結果表示部、
４…アプリ・機器対応表、
５…ブルートゥース機器対応アプリ検索部、
６…ダウンロードアプリ確認画面表示部、
７…通信部、
８…ネットワーク、
９…アプリ格納部、
１０…アプリ・機器対応表修正部、
１１…端末制御部、
１２…タッチパネル、
１３a,１３b,１３c…タッチパネルの領域、
１４…表示画面、
１５a,１５b…ボタン。
【図１】
2015158780.tif 000003
【図２】
2015158780.tif 000004
【図３】
2015158780.tif 000005
【図４】
2015158780.tif 000006
【図５】
2015158780.tif 000007